(57)【要約】  ユーザの視界を確保することが可能な画像表示装置、画像表示プログラム及び画像表示方法を提供する。  画像表示装置は、透過型ディスプレイと、画像生成部と、画像表示部とを具備する。透過型ディスプレイは、ユーザの眼前に配置される。画像生成部は、画像が表示されない非表示領域と画像が表示される表示領域とに区分された表示画像を生成する。画像表示部は、表示画像を透過型ディスプレイに表示させる。
2013190766.tif 000002
【特許請求の範囲】
【請求項１】
ユーザの眼前に配置される透過型ディスプレイと、
画像が表示されない非表示領域と画像が表示される表示領域とに区分された表示画像を生成する画像生成部と、
前記表示画像を前記透過型ディスプレイに表示させる画像表示部と
を具備する画像表示装置。
【請求項２】
請求項１に記載の画像表示装置であって、
前記画像生成部は、ユーザに提示される表示情報を含む元画像に、マスクレイヤーを重畳させることで前記表示画像を生成する
画像表示装置。
【請求項３】
請求項２に記載の画像表示装置であって、
撮像画像の撮像が可能な画像撮像部をさらに具備し、
前記表示情報は、前記撮像画像に基づいて生成される
画像表示装置。
【請求項４】
請求項１に記載の画像表示装置であって、
前記画像生成部は、前記表示画像を半透過画像とする
画像表示装置。
【請求項５】
請求項４に記載の画像表示装置であって、
前記画像生成部は、前記画像表示装置の周囲の明るさに応じて、前記表示画像の透過率を変更する
画像表示装置。
【請求項６】
請求項３に記載の画像表示装置であって、
前記表示情報は、前記撮像画像に含まれる文字に対する文字認識の結果に基づいて生成される
画像表示装置。
【請求項７】
請求項２に記載の画像表示装置であって、
前記表示情報は、ルートナビゲーションである
画像表示装置。
【請求項８】
請求項２に記載の画像表示装置であって、
前記表示情報は、製造支援情報である
画像表示装置。
【請求項９】
請求項２に記載の画像表示装置であって、
前記表示情報は、前記ユーザについて測定された生体情報である
画像表示装置。
【請求項１０】
請求項９に記載の画像表示装置であって、
前記生体情報を測定する生体情報測定部をさらに具備する
画像表示装置。
【請求項１１】
画像が表示されない非表示領域と画像が表示される表示領域とに区分された表示画像を生成する画像生成部と、
前記表示画像を、ユーザの眼前に配置される透過型ディスプレイに表示させる画像表示部と
としてコンピュータを機能させる画像表示プログラム。
【請求項１２】
画像生成部が、画像が表示されない非表示領域と画像が表示される表示領域とに区分された表示画像を生成し、
画像表示部が、前記表示画像を、ユーザの眼前に配置される透過型ディスプレイに表示させる
画像表示方法。
【発明の詳細な説明】
【技術分野】
【０００１】
本技術は、透過型ディスプレイに表示される画像の生成に係る画像表示装置、画像表示プログラム及び画像表示方法に関する。
に関する。
【背景技術】
【０００２】
ユーザの頭部に装着可能であり、ユーザの眼前に配置されるディスプレイを供えるヘッドマウントディスプレイがある。ヘッドマウントディスプレイには、不透明なディスプレイを備えた非透過型のヘッドマウントディスプレイと、透明なディスプレイを備えた透過型のヘッドマウントディスプレイがある。【０００３】
例えば、特許文献１には、ユーザの眼前に配置される透過型ディスプレイに文字（映画の字幕等）を表示することによって、ユーザの視界に当該情報を重畳させることが可能な「頭部装着型ディスプレイ」が開示されている。
【先行技術文献】
【特許文献】
【０００４】
【特許文献１】特開２０１１−５３４６８号公報
【発明の概要】
【発明が解決しようとする課題】
【０００５】
しかしながら、このようなヘッドマウントディスプレイでは、ディスプレイに表示された画像によってユーザの視界が遮られるおそれがある。したがって、ユーザは安全な環境、例えば室内等においてこのようなヘッドマウントディスプレイを利用することはできるものの、例えば、歩行し、あるいは自動車等を運転する際等、外界を視認する必要がある環境において利用することは困難であった。【０００６】
以上のような事情に鑑み、本技術の目的は、ユーザの視界を確保することが可能な画像表示装置、画像表示プログラム及び画像表示方法を提供することにある。
【課題を解決するための手段】
【０００７】
本技術の一形態に係る画像表示装置は、透過型ディスプレイと、画像生成部と、画像表示部とを具備する。
上記透過型ディスプレイは、ユーザの眼前に配置される。
上記画像生成部は、画像が表示されない非表示領域と画像が表示される表示領域とに区分された表示画像を生成する。
上記画像表示部は、上記表示画像を上記透過型ディスプレイに表示させる。【０００８】
この構成によれば、透過型ディスプレイにおいて非表示領域には画像が表示されないためユーザは非表示領域を介して外界を視認することができる。一方で、表示領域には画像が表示されるため、ユーザはその画像を視認することができる。即ちユーザは、外界と透過型ディスプレイに表示される画像とを同時に視認することが可能となる。【０００９】
上記画像生成部は、ユーザに提示される表示情報を含む元画像に、マスクレイヤーを重畳させることで上記表示画像を生成してもよい。【００１０】
この構成によれば、表示情報が含まれる元画像のうち、マスクレイヤーに含まれる画像マスクに相当する領域を上記非表示領域とすることができる。マスクレイヤーによって元画像に強制的に画像マスクが施されるため、元画像がいかなるアプリケーションから出力されたものであっても非表示領域が設定され、ユーザの視界が確保される。【００１１】
撮像画像の撮像が可能な画像撮像部をさらに具備し、上記表示情報は、上記撮像画像に基づいて生成されてもよい。【００１２】
この構成によれば、画像表示装置は、撮像画像に含まれる情報、例えば文字認識によって取得した文字情報やＱＲコード（登録商標）等に基づいて表示情報を生成し、ユーザに提示することが可能となる。【００１３】
上記画像生成部は、上記表示画像を半透過画像としてもよい。【００１４】
この構成によれば、ユーザは、表示領域を介して外界を視認できると共に、表示領域の半透過画像を介しても外界を視認することが可能となり、即ちこの画像表示装置は表示画像による外界の視認性の低下を防止することが可能である。【００１５】
上記画像生成部は、上記画像表示装置の周囲の明るさに応じて、上記表示画像の透過率を変更してもよい。【００１６】
この構成によれば、表示画像に対するユーザの視認性を向上させることが可能となる。画像表示装置は、画像表示装置に設けられた照度センサや画像撮像部の出力から、画像表示装置の周囲の明るさを取得することが可能である。【００１７】
上記表示情報は、上記撮像画像に含まれる文字に対する文字認識の結果に基づいて生成されてもよい。【００１８】
この構成によれば、画像表示装置は、認識した文字についての辞書等を表示情報としてユーザに提供することが可能となる。これにより、ユーザは、非表示領域を介して文章を閲覧しながら、表示領域に表示される表示情報を参照することが可能となる。【００１９】
上記表示情報は、ルートナビゲーションであってもよい。【００２０】
この構成によれば、ユーザは、歩行あるいは自動車等の運転等の際に、ルートナビゲーションを参照することが可能となる。本構成によれば、上述のように非表示領域によりユーザの視界が確保されるので、ユーザが移動中であっても視界が遮断されず、ユーザの安全を確保することが可能である。【００２１】
上記表示情報は、製造支援情報であってもよい。【００２２】
この構成によれば、ユーザは、製造手順や測定結果等の製造支援情報を参照しながら製造を実施することができ、製造習得期間の短縮や製造の正確性、作業性の向上が可能である。【００２３】
上記表示情報は、上記ユーザについて測定された生体情報であってもよい。【００２４】
この構成によれば、画像表示装置は、ユーザについて測定された生体情報、例えば歩行速度や歩数、心拍数、血圧等をユーザに提示することが可能であり、ユーザの運動を補助することが可能である。【００２５】
上記画像表示装置は、上記生体情報を測定する生体情報測定部をさらに具備していてもよい。【００２６】
この構成によれば、画像表示装置は、生体情報測定部によって測定された生体情報を表示情報としてユーザに提示することが可能である。画像表示装置はユーザの頭部に装着されるため、生体情報測定部によって、脈拍、体温、呼吸ペース、姿勢、瞳孔に基づく心理状態、脳波等を測定し、表示情報とすることが可能となる。【００２７】
本技術の一形態に係る画像表示プログラムは、画像生成部と、画像表示部とを具備する。
上記画像生成部は、画像が表示されない非表示領域と画像が表示される表示領域とに区分された表示画像を生成する。
上記画像表示部は、上記表示画像を、ユーザの眼前に配置される透過型ディスプレイに表示させる。【００２８】
本技術の一形態に係る画像表示方法は、画像生成部が、画像が表示されない非表示領域と画像が表示される表示領域とに区分された表示画像を生成する。
画像表示部が、上記表示画像を、ユーザの眼前に配置される透過型ディスプレイに表示させる。
【発明の効果】
【００２９】
以上のように、本技術によれば、ユーザの視界を確保することが可能な画像表示装置、画像表示プログラム及び画像表示方法を提供することが可能となる。
【図面の簡単な説明】
【００３０】
【図１】本技術の実施形態に係る画像表示装置の外観を示す模式図である。
【図２】同画像表示装置の機能的構成を示す模式図である。
【図３】同画像表示装置の動作を示すフローチャートである。
【図４】同画像表示装置の画像取得部によって取得される元画像の例である。
【図５】同画像表示装置の画像生成部によって表示画像の生成に利用されるマスクレイヤーの例である。
【図６】同画像表示装置の画像生成部による表示画像の生成を示す模式図である。
【図７】同画像表示装置の画像生成部によって生成される表示画像の例である。
【図８】同画像表示装置の画像表示部によってディスプレイに表示された表示画像の例である。
【図９】同画像表示装置の画像生成部によって生成される表示画像の、非表示領域と表示領域の配置のバリエーションを示す模式図である。
【図１０】同画像表示装置の画像生成部によって生成される表示画像の、非表示領域と表示領域の配置のバリエーションを示す模式図である。
【図１１】同画像表示装置の画像生成部によって生成される表示画像の、非表示領域と表示領域の配置のバリエーションを示す模式図である。
【図１２】同画像表示装置の画像生成部によって生成される表示画像の、非表示領域と表示領域の配置のバリエーションを示す模式図である。
【図１３】同画像表示装置の画像生成部によって生成される表示画像の、非表示領域と表示領域の配置のバリエーションを示す模式図である。
【図１４】同画像表示装置の画像生成部によって生成される表示画像の、非表示領域と表示領域の配置のバリエーションを示す模式図である。
【発明を実施するための形態】
【００３１】
[画像表示装置の構成]
本技術の実施形態に係る画像表示装置について説明する。図１は、画像表示装置１の外観を示す模式図である。同図に示すように、画像表示装置１は、頭部装具１１と操作機器１２によって構成されている。頭部装具１１と操作機器１２は、有線又は無線によって接続されている。
【００３２】
頭部装具１１は、ユーザの頭部に装着可能に構成されており、ユーザの頭部に装着された際にユーザの眼前に配置されるディスプレイを備え、当該ディスプレイに画像を表示するものである。具体的には、頭部装具１１は、支持体１１１、ディスプレイ１１２（１１２Ｒ及び１１２Ｌ）、画像生成ユニット１１３（１１３Ｒ及び１１３Ｌ）、カメラ１１４によって構成されている。
【００３３】
支持体１１１は、頭部装具１１をユーザの頭部に支持するものであり、ユーザの耳や鼻に当接するものとすることができる。支持体１１１の形状や素材等は任意のものとすることができる。
【００３４】
ディスプレイ１１２は、支持体１１１に支持されてユーザの眼前に配置され、画像生成ユニット１１３によって生成された画像を表示する。ディスプレイ１１２は、透明であり、画像を表示していない状態において、ユーザの視界を遮らない透過型ディスプレイであるものとすることができる。なお、ディスプレイ１１２は完全に透明でなくてもよい。ディスプレイ１１２は、図１に示すように、ユーザの右眼の眼前に配置される右ディスプレイ１１２Ｒと、左眼の眼前に配置される左ディスプレイ１１２Ｌによって構成されているものとすることができ、また、ユーザの両眼の眼前に配置される一体型のディスプレイであってもよい。
【００３５】
画像生成ユニット１１３は、支持体１１１に支持され、ディスプレイ１１２に表示される画像（以下、表示画像とする）を生成すると共にディスプレイ１１２に供給し、表示させる。また、画像生成ユニット１１３は、カメラ１１４と接続され、カメラ１１４によって撮像された画像を取得するものとすることができる。画像生成ユニット１１３は、図１に示すように右ディスプレイ１１２Ｒに表示画像を供給する右画像生成ユニット１１３Ｒと、左ディスプレイ１１２Ｌに表示画像を供給する左画像生成ユニット１１３Ｌによって構成されているものとすることができる。また、画像生成ユニット１１３は一体的に構成されているものであってもよい。
【００３６】
カメラ１１４は、支持体１１１に支持され、画像を撮像する。カメラ１１４は、その視野と、頭部装具１１がユーザの頭部に装着された際のユーザの視界が概ね一致するように配置されるものとすることができ、例えば、右ディスプレイ１１２Ｒと左ディスプレイ１１２Ｌの中間位置が好適である。また、カメラ１１４は、画像表示装置１から独立して設けられているものであってもよい。
【００３７】
操作機器１２は、頭部装具１１に対するユーザの操作入力を受け付ける。操作機器１２は特に限定されず、スマートフォン等の情報処理装置やリモートコントローラであるものとすることができる。また、操作機器１２は、ディスプレイ１１２に表示される表示画像の元となる画像（以下、元画像とする）を頭部装具１１に供給する機器として機能するものとすることができる。操作機器１２は、ユーザの操作入力や元画像（後述）を、画像生成ユニット１１３に供給する。
【００３８】
画像表示装置１は以上のような構成を有するものとすることができる。なお、画像表示装置１の構成は上述のものに限定されない。例えば、操作機器１２に相当する機能は頭部装具１１に搭載されているものとすることも可能である。また、画像表示装置１は、ユーザの生体情報（脈拍、体温、呼吸ペース、姿勢、瞳孔に基づく心理状態、脳波等）を測定する生体情報測定部を備えるものとすることも可能である。
【００３９】
[画像表示装置の機能的構成]
画像表示装置１においては上述の構成と、ソフトウェアの協働によって次のような機能的構成が実現されている。図２は画像表示装置１の機能的構成を示す模式図である。同図に示すように画像表示装置１は、画像取得部１０１、画像生成部１０２及び画像表示部１０３を有する。これらの各構成は、画像生成ユニット１１３に内蔵されているものとすることができる。画像表示部１０３は、ディスプレイ１１２（右ディスプレイ１１２Ｒ及び左ディスプレイ１１２Ｌ）に接続され、画像取得部１０１、画像生成部１０２及び画像表示部１０３はそれぞれ相互に接続されている。
【００４０】
画像取得部１０１は、ディスプレイ１１２に表示される表示画像の元となる元画像を取得する。元画像は、操作機器１２のアプリケーションによって生成された画像や、操作機器１２が他の機器から取得した画像であるものとすることができる。元画像は、例えば、映画の字幕、カーナビゲーション等のユーザに提示される情報（以下、表示情報）を含む画像であるものとすることができる。
【００４１】
元画像に含まれる表示情報は、カメラ１１４によって撮像された撮像画像に基づいて生成されるものとすることも可能である。具体的には、画像取得部１０１は、撮像画像に文字が含まれる場合に、文字認識によって取得した文字についての辞書を表示情報として含む元画像を取得するものとすることも可能である。また、画像取得部１０１は、撮像画像にＱＲコード（登録商標）等が含まれる場合に、読み取りによって取得した情報を表示情報として含む元画像を取得するものとすることも可能である。画像取得部１０１は、取得した元画像を画像生成部１０２に供給する。
【００４２】
画像生成部１０２は、上記元画像から表示画像を生成する。表示画像は、表示画像がディスプレイ１１２に表示された際に、画像が表示されない領域である非表示領域と、表示画像がディスプレイ１１２に表示された際に、画像が表示される領域である表示領域を含む。画像生成部１０２は、元画像に画像マスクを含むマスクレイヤーを重畳させることによって、画像マスクに相当する元画像の領域を非表示領域とし、画像マスクに相当しない元画像の領域を表示領域とすることができる。画像生成部１０２は、生成した表示画像を画像表示部１０３に供給する。
【００４３】
画像表示部１０３は、表示画像をディスプレイ１１２に供給し、表示させる。表示画像において画像マスクに相当する非表示領域には画像が表示されないが、ディスプレイ１１２は透過型ディスプレイであるので、ユーザは非表示領域を介して外界を視認することができる。一方で、表示領域には元画像が表示されるため、ユーザは元画像に含まれる表示情報を視認することができる。即ち、ユーザは、非表示領域を介して外界を視認しつつ、ディスプレイ１１２に表示される表示情報を参照することが可能となる。
【００４４】
[画像表示装置の動作]
画像表示装置１の動作について説明する。図３は、画像表示装置１の動作を示すフローチャートである。
【００４５】
まず、画像取得部１０１が元画像を取得する（Ｓｔ１０１）。画像取得部１０１は、操作機器１２のアプリケーションによって生成された画像や、操作機器１２が他の機器から取得した画像を元画像として取得するものとすることができる。図４に取得された元画像の例を元画像Ａとして示す。元画像Ａには、ユーザに提示される表示情報Ｂが含まれているものとする。
【００４６】
続いて、画像生成部１０２が表示画像を生成する（Ｓｔ１０２）。画像生成部１０２は、元画像Ａにマスクレイヤーを重畳させることにより、表示画像を生成するものとすることができる。図５はマスクレイヤーＣを示す模式図である。同図に示すように、マスクレイヤーＣには画像マスクＭが含まれている。画像マスクＭのマスクレイヤーにおける配置は、後述するように画像表示装置１の用途等に応じて適宜変更されるものとすることが可能である。
【００４７】
図６は、画像生成部１０２による表示画像の生成を示す模式図である。図６（ａ）はマスクレイヤーＣを重畳させない場合、図６（ｂ）はマスクレイヤーＣを重畳させる場合の模式図である。図６（ａ）に示すように、画像生成部１０２は、マスクレイヤーＣを元画像Ａに重畳させない場合、元画像Ａをそのまま表示画像Ｄとする。これに対し本実施形態においては、図６（ｂ）に示すように画像生成部１０２は、マスクレイヤーＣを元画像Ａに重畳させ、表示画像Ｄを生成する。ここで、図６に示すように、画像生成部１０２は、ビデオバッファから出力された元画像ＡにマスクレイヤーＣを重畳させることにより、元画像Ａがどのようなアプリケーションから生成された画像であっても、強制的に画像マスクＭを施すことが可能となる。
【００４８】
図７は、画像生成部１０２によって生成される表示画像Ｄを示す模式図である。同図に示すように、画像生成部１０２が元画像ＡとマスクレイヤーＣを重畳させることにより、元画像Ａの一部が画像マスクＭによって被覆された表示画像Ｄが生成される。画像生成部１０２は、表示画像Ｄを画像表示部１０３に供給する。
【００４９】
画像表示部１０３は、表示画像Ｄをディスプレイ１１２に表示させる（Ｓｔ１０３）。図８は、ディスプレイ１１２に表示された表示画像Ｄを示す模式図である。同図に示すように、表示画像Ｄにおいて、画像マスクＭに相当する領域は画像が表示されない非表示領域（非表示領域Ｄ１とする）となり、画像マスクＭに相当しない領域は元画像Ａが表示される表示領域（表示領域Ｄ２とする）となる。ディスプレイ１１２は透過型ディスプレイであるので、ユーザは、非表示領域Ｄ１を介して外界を視認することができ、同時に表示領域Ｄ２に表示される表示情報Ｂを視認することが可能である。
【００５０】
画像表示部１０３は、表示画像Ｄをディスプレイ１１２に表示させる際、表示画像Ｄを半透過画像とすることも可能である。これにより、ユーザは表示領域Ｄ２においても、半透過画像とされた元画像Ａを介して外界を視認することが可能である。さらに画像表示部１０３は、画像表示装置１に設けられた図示しない照度センサあるいはカメラ１１４の出力から画像表示装置１の周囲の明るさを取得し、その明るさに応じて表示画像Ｄの透過率を調節するものとすることも可能である。
【００５１】
なお、上述の説明においては、右ディスプレイ１１２Ｒと左ディスプレイ１１２Ｌのいずれかに表示される表示画像Ｄについて説明したが、他方のディスプレイ１１２についても同様である。また、例えば、画像表示装置１は、ディスプレイ１１２のいずれか一方に表示画像Ｄを表示し、他方のディスプレイ１１２には何らの画像も表示しないものとすることも可能である。さらに、画像表示装置１は、ディスプレイ１１２のいずれか一方に表示画像Ｄを表示し、他方のディスプレイには元画像Ａをそのまま表示するものとすることも可能である。
【００５２】
［非表示領域の配置について］
上述の説明において、表示画像Ｄは非表示領域Ｄ１と表示領域Ｄ２を有するものとしたが、非表示領域Ｄ１と表示領域Ｄ２の配置には各種のバリエーションが考えられる。図９乃至図１４は、非表示領域Ｄ１と表示領域Ｄ２の配置のバリエーションを示す模式図である。なお、図９乃至図１４において、表示情報Ｂの図示は省略するが、表示情報Ｂは表示領域Ｄ２に表示されているものとする。これらの図に示すように、非表示領域Ｄ１と表示領域Ｄ２の配置は適宜設定することが可能であり、例えばユーザによる指定や、アプリケーションによる指定によって設定されるものとすることが可能である。
【００５３】
［画像表示装置の使用例］
ユーザが映画、舞台(オペラ、歌舞伎、演劇など)等を鑑賞する際、画像表示装置１は、表示情報Ｂとして、セリフを人物の位置に合わせてディスプレイ１１２の左右に表示したり、また、ナレーションや歌詞などをディスプレイ１１２の上部や下部に表示することができる。（図９（ａ）〜図１０（ｂ）参照）。画像表示装置１は、映画や舞台の視認を妨げないように表示画像Ｄの中央部を非表示領域Ｄ１とすることができる。
【００５４】
画像表示装置１は、非表示領域Ｄ１の周囲の表示領域Ｄ２に表示される表示画像の透過率を舞台等の明るさに応じて変化させることにより、表示画像の視認性を向上させることができる。また、映画等はシーンに応じて明るさの変化が大きいものがあるため、画像表示装置１はシーンごとの明るさに応じて表示画像Ｄの透過率を変化させると効果的である。画像表示装置１は、予め設定された固定値を透過率調整に利用することができ、また、照度センサによって取得した明るさを透過率調整に利用することもできる。
【００５５】
画像表示装置１は、ユーザが本を読む際、分からない単語や漢字の辞書を表示情報Ｂとして表示するものとすることができる。また、画像表示装置１は、コンテンツによっては広告を表示するものとすることができる。画像表示装置１が、横書きの本は上下に、縦書きの本は左右に表示領域Ｄ２を配置すると読書の邪魔にならない。画像表示装置１は、ユーザが雑誌の様な広範囲を一度に見る場合はディスプレイ１１２の周囲に表示領域Ｄ２を配置する（図９（ａ）〜図１０（ｂ）参照）。
【００５６】
画像表示装置１は、カメラ１１４で撮像された撮像画像に含まれる文字を認識し、自動的に辞書表示を行うことができる。また、画像表示装置１は、雑誌等のＱＲコード（登録商標）を自動的に読み取って読者が知りたい情報を表示情報Ｂとして表示させることができる。ユーザは、中央の非表示領域Ｄ１を読書のために利用することができる。ユーザが読書に集中したい場合は、表示画像Ｄの透過率を下げて視界を制限することも可能である。
【００５７】
ユーザが自動車、自転車、自動二輪車等を運転する際、画像表示装置１は、周囲認識の補助機能としてディスプレイ１１２の左右にバックミラー、上部にルームミラー、下部にバックカメラ等の映像を表示する（図９（ａ）〜図１０（ｂ）参照）ことができる。画像表示装置１は、表示画像Ｄが視認できる程度に可変フィルタを使って透過率を調整するものとすることができる。画像表示装置１は、自動車等の速度やエンジン回転数を左右を使って上下方向に変化する棒グラフ等でユーザに体感的に認識させ、ディスプレイ１１２の上下に数値を表示して正確な値をユーザに認知させることができる。また、画像表示装置１が、ルートナビゲーションの矢印等をディスプレイ１１２の左右に表示したり、水平方向の地図をディスプレイ１１２の下部に表示することにより、ユーザは視線を動かさずにルートナビゲーションを使うことができる。
【００５８】
画像表示装置１は、ユーザが自転車に乗ったり、走ったり、歩いたりの運動をする際に、速度や歩数、また、心拍数、血圧、血流などの測定値（生体情報）をディスプレイ１１２の上下左右に表示する（図９（ａ）〜図１０（ｂ）参照）ことができる。また、画像表示装置１は、ユーザの生体情報を測定する生体情報測定部を具備し、測定された生体情報、例えば、脈拍、体温、呼吸ペース、姿勢、瞳孔に基づく心理状態、脳波等をディスプレイ１１２に表示するものとすることも可能である。画像表示装置１は、表示画像Ｄが視認できる程度に可変フィルタを使って透過率を調整することができる。昼や夜など明るさが違う場合は、画像表示装置１は、時間情報に加えて照度センサにより透過率調整を行うことができる。画像表示装置１が、ルートナビゲーションの矢印等をディスプレイ１１２の左右に表示したり、水平方向の地図をディスプレイ１１２の下部に表示することにより、ユーザは視線を動かさずにルートナビゲーションを使うことができる。
【００５９】
画像表示装置１は、ユーザが製造を実施する際に、製造手順や測定結果等の製造支援情報をディスプレイ１１２に表示し、製造を支援するものとすることができる。具体的には、ユーザが製造の手順を確認するときに、画像マスクＭなしで手順等の情報をディスプレイ１１２に表示し、ユーザが作業に取り掛かるときに、作業に必要な範囲に画像マスクＭを配置し、ユーザが視認しやすくする使い方が可能である。例えば、ユーザは、飛行機組立時の配線について、どの線を結線するかをディスプレイ１１２の表示で確認し、結線作業をするときは、作業の邪魔になるのでディスプレイ１１２の中央に画像マスクＭを配置して完全透過させることにより、作業の確実性を挙げることが可能である。また、テレビジョン受像機の検査工程ではユーザがテレビジョン受像機を操作しながら測定結果をチェックする。このとき、ディスプレイ１１２の中央に画像マスクＭを配置してテレビジョン受像機を操作しやすくし、ディスプレイ１１２の端に測定結果を出すようにすることも可能である。
【００６０】
ユーザがカメラ、ビデオ等の撮影機器を用いて撮影を実施する際、撮影機器の光学ファインダーを覗いたり、また、撮影機器の表示画面を見て撮影を行う際には、肉眼で撮影対象を見ることができない。それを解決するために、画像表示装置１が、ディスプレイ１１２の中央部に撮影機器の撮影画像を表示させることにより、ユーザは、実際に撮影される範囲を確認しながら、撮影を実施することができる。
【００６１】
画像表示装置１は、ユーザがズームを使って構図を決める際に、撮影対象物までの距離をセンサで計り、撮影画像をディスプレイ１１２の中央部に配置することができる。これによりユーザは、視界全体の中の撮影される範囲を確認しながら最適な構図を決めることができる（図１３参照）。また、画像表示装置１は、ユーザが見ている箇所の拡大画像を表示領域Ｄ２に表示することで、ユーザは遠くのものを確実に捉えて撮影することが可能となる（図１４参照）。
【００６２】
カメラは画像表示装置１と独立している場合と、画像表示装置１に設けられている場合がある。カメラが画像表示装置１と独立している場合は、ユーザは、周囲を確認しながら常に撮影画像確認ができる。また、画像表示装置１はユーザの見る方向にカメラを追従させて視線追従の撮影も行うことができる。カメラが画像表示装置１に設けられている場合は、視線方向の撮影が行え、ズーム機能で撮影されている映像を拡大表示すると望遠鏡を使った撮影効果も得られる。
【００６３】
カメラのバッテリー切れや記録メディア残量不足などは撮影失敗に繋がる重要な情報である。画像表示装置１は、このような情報を表示情報としてディスプレイ１１２に表示することで、ユーザは常にカメラ/ビデオを見たり、ファインダーを覗いたりしなくてもこれらの情報を把握することができる。ユーザが野鳥撮影の様な長い時間遠くの被写体を狙って撮影する場合、画像表示装置１は、ディスプレイ１１２の上部を非表示領域Ｄ１とし、ユーザの視界にかからない下部を表示領域Ｄ１として拡大映像を表示する（図１０（ｃ）参照）と利便性が向上する。
【００６４】
ユーザが天体観測を実施する際には、ユーザの視線は上方に向くと考えられるので、画像表示装置１は、ディスプレイ１１２の上部を非表示領域Ｄ１とし、視界にかからない下部を表示領域Ｄ２とすることができる。画像表示装置１は星座やオーロラ情報を表示情報として表示するものとすることができる（図１０（ｃ）参照）。
【００６５】
また、ユーザが釣りやスポーツ観戦を実施する際には、ユーザの視線は下方に向くと考えられるので、画像表示装置１は、ディスプレイ１１２の上部を表示領域Ｄ２とし、下部を非表示領域Ｄ１とすることができる（図１１（ａ）参照）。ユーザは、釣りを実施する際には天候や塩見表、また、魚群探知機の表示情報を参照することができ、スポーツ観戦を実施する際には、ＴＶ放送やスコア等の表示情報情報を見ながら観戦することができる。
【００６６】
本技術は、上記各実施形態にのみ限定されるものではなく、本技術の要旨を逸脱しない範囲内において変更することが可能である。
【００６７】
なお、本技術は以下のような構成も採ることができる。
【００６８】
（１）
ユーザの眼前に配置される透過型ディスプレイと、
画像が表示されない非表示領域と画像が表示される表示領域とに区分された表示画像を生成する画像生成部と、
上記表示画像を上記透過型ディスプレイに表示させる画像表示部と
を具備する画像表示装置。
【００６９】
（２）
上記（１）に記載の画像表示装置であって、
上記画像生成部は、ユーザに提示される表示情報を含む元画像に、マスクレイヤーを重畳させることで上記表示画像を生成する
画像表示装置。
【００７０】
（３）
上記（１）又は（２）に記載の画像表示装置であって、
撮像画像の撮像が可能な画像撮像部をさらに具備し、
上記表示情報は、上記撮像画像に基づいて生成される
画像表示装置。
【００７１】
（４）
上記（１）から（３）のいずれか一つに記載の画像表示装置であって、
上記画像生成部は、上記表示画像を半透過画像とする
画像表示装置。
【００７２】
（５）
上記（１）から（４）のいずれか一つに記載の画像表示装置であって、
上記画像生成部は、上記画像表示装置の周囲の明るさに応じて、上記表示画像の透過率を変更する
画像表示装置。
【００７３】
（６）
上記（１）から（５）のいずれか一つに記載の画像表示装置であって、
上記表示情報は、上記撮像画像に含まれる文字に対する文字認識の結果に基づいて生成される
画像表示装置。
【００７４】
（７）
上記（１）から（６）のいずれか一つに記載の画像表示装置であって、
上記表示情報は、ルートナビゲーションである
画像表示装置。
【００７５】
（８）
上記（１）から（７）のいずれか一つに記載の画像表示装置であって、
上記表示情報は、製造支援情報である
画像表示装置。
【００７６】
（９）
上記（１）から（８）のいずれか一つに記載の画像表示装置であって、
上記表示情報は、上記ユーザについて測定された生体情報である
画像表示装置。
【００７７】
（１０）
上記（１）から（９）のいずれか一つに記載の画像表示装置であって、
上記生体情報を測定する生体情報測定部をさらに具備する
画像表示装置。
【００７８】
（１１）
画像が表示されない非表示領域と画像が表示される表示領域とに区分された表示画像を生成する画像生成部と、
上記表示画像を、ユーザの眼前に配置される透過型ディスプレイに表示させる画像表示部と
としてコンピュータを機能させる画像表示プログラム。
【００７９】
（１２）
画像生成部が、画像が表示されない非表示領域と画像が表示される表示領域とに区分された表示画像を生成し、
画像表示部が、上記表示画像を、ユーザの眼前に配置される透過型ディスプレイに表示させる
画像表示方法。
【符号の説明】
【００８０】
１…画像表示装置
１０１…画像取得部
１０２…画像生成部
１０３…画像表示部
１１２…ディスプレイ
１１４…カメラ
【図２】
2013190766.tif 000003
【図３】
2013190766.tif 000004
【図５】
2013190766.tif 000005
【図６】
2013190766.tif 000006
【図９】
2013190766.tif 000007
【図１０】
2013190766.tif 000008
【図１１】
2013190766.tif 000009
【図１２】
2013190766.tif 000010
【図１３】
2013190766.tif 000011
【図１４】
2013190766.tif 000012
【図１】
2013190766.tif 000013
【図４】
2013190766.tif 000014
【図７】
2013190766.tif 000015
【図８】
2013190766.tif 000016
【手続補正書】
【提出日】平成25年10月17日(2013.10.17)
【手続補正１】
【補正対象書類名】特許請求の範囲
【補正対象項目名】全文
【補正方法】変更
【補正の内容】
【特許請求の範囲】
【請求項１】
ユーザの眼前に配置される透過型ディスプレイと、
画像が表示されず外界を視認できる非表示領域と画像が表示される表示領域とに区分された表示画像を生成する画像生成部と、
前記表示画像を前記透過型ディスプレイに表示させる画像表示部と
を具備し、
前記画像生成部は、ユーザーに提示される元画像の一部を非表示領域とした前記表示画像を生成する
画像表示装置。
【請求項２】
請求項１に記載の画像表示装置であって、
前記マスクレイヤーを重畳させた非表示領域の大きさと配置は適宜設定される
画像表示装置。
【請求項３】
請求項１に記載の画像表示装置であって、
撮像画像の撮像が可能な画像撮像部をさらに具備し、
前記表示情報は、前記撮像画像に基づいて生成される
画像表示装置。
【請求項４】
請求項１に記載の画像表示装置であって、
前記画像生成部は、前記表示画像を半透過画像とする
画像表示装置。
【請求項５】
請求項４に記載の画像表示装置であって、
前記画像生成部は、前記画像表示装置の周囲の明るさに応じて、前記表示画像の透過率を変更する
画像表示装置。
【請求項６】
請求項１に記載の画像表示装置であって、
前記表示情報は、前記撮像画像に含まれる文字に対する文字認識の
結果に基づいて生成される
画像表示装置。
【請求項７】
請求項１に記載の画像表示装置であって、
前記表示情報は、ルートナビゲーションである
画像表示装置。
【請求項８】
請求項１に記載の画像表示装置であって、
前記表示情報は、製造支援情報である
画像表示装置。
【請求項９】
請求項１に記載の画像表示装置であって、
前記表示情報は、前記ユーザについて測定された生体情報である
画像表示装置。
【請求項１０】
請求項１に記載の画像表示装置であって、
前記生体情報を測定する生体情報測定部をさらに具備する
画像表示装置。
【請求項１１】
画像が表示されず外界を視認できる非表示領域と画像が表示される表示領域とに区分された表示画像を生成し、ユーザーに提示される元画像の一部を非表示領域とした前記表示画像を生成する画像生成部から、
前記表示画像を、ユーザの眼前に配置される透過型ディスプレイの画像表示部に表示させるように
コンピュータを機能させる画像表示プログラム。
【請求項１２】
画像生成部が、画像が表示されず外界を視認できる非表示領域と画像が表示される表示領域とに区分された表示画像を生成し、
画像表示部が、前記表示画像を、ユーザの眼前に配置される透過型ディスプレイに表示させる
画像表示方法。
【国際調査報告】
2013190766.tif 000017
2013190766.tif 000018
2013190766.tif 000019
2013190766.tif 000020